(57)【要約】【課題】以前の照明演出で用いられたことのあるポートと照明器具との対応関係に戻す場合に、対応関係の確認作業における負担を軽減すること。【解決手段】実施形態に係る照明制御装置は、検出部と、保存部と、読出部とを具備する。検出部は、複数のポートと複数の照明器具との対応関係を検出する。保存部は、検出された対応関係を対応関係データとして保存する。読出部は、保存された対応関係データを読み出す。【選択図】図１
2019175582.tif 000002
【特許請求の範囲】
【請求項１】
複数のポートと複数の照明器具との対応関係を検出する検出部と；
検出された前記対応関係を対応関係データとして保存する保存部と；
保存された前記対応関係データを読み出す読出部と；
を具備する照明制御装置。
【請求項２】
前記複数のポートと前記複数の照明器具とが新たに対応付けられた場合に、前記検出部により検出された今回の前記対応関係と読み出された前回の前記対応関係とを比較する比較部と；
前記比較部で比較された結果を出力する出力部と；
をさらに具備する
請求項１に記載の照明制御装置。
【請求項３】
前記出力部は、今回の前記対応関係と前回の前記対応関係とで接続される前記照明器具が異なる前記ポートに関する情報を出力する
請求項２に記載の照明制御装置。
【請求項４】
前記比較部は、今回の前記対応関係と前回の前記対応関係とを比較する場合に、前記照明器具の製造会社名データおよび機器型番データに基づいて同じ器具とみなす前記照明器具が前記ポートに接続されていると判定する
請求項２または３に記載の照明制御装置。
【請求項５】
前記対応関係データは、前記照明器具の調光を制御する調光制御データに対応付けられたアドレス情報を含み、
前回と同じ前記ポートに同じまたは同じ器具とみなされた前記照明器具が今回接続された場合に、前記対応関係データに含まれる前回の前記照明器具の前記アドレス情報と同じアドレス情報を今回の前記照明器具に設定する設定部；
をさらに具備する
請求項１〜４のいずれか一つに記載の照明制御装置。
【請求項６】
あらかじめ前記複数の照明器具に対してそれぞれ異なるＩＤ番号を付与する付与部と；
前記複数の照明器具が同じ前記ポートにカスケード接続される場合に、前記ポートの表示位置から前記複数の照明器具を前記ＩＤ番号が若い番号順に表示する表示制御部と；
をさらに具備する
請求項１〜５のいずれか一つに記載の照明制御装置。
【請求項７】
請求項１〜６のいずれか一つに記載の照明制御装置と；
前記複数の照明器具と；
を具備する照明制御システム。
【請求項８】
複数のポートと複数の照明器具との対応関係を検出する検出ステップと；
検出された前記対応関係を対応関係データとして保存する保存ステップと；
保存された前記対応関係データを読み出す読出ステップと；
を含む照明制御方法。
【発明の詳細な説明】
【技術分野】
【０００１】
本発明の実施形態は、照明制御装置、照明制御システムおよび照明制御方法に関する。
【背景技術】
【０００２】
従来、スタジオや舞台などでは、複数の照明器具により照明演出がなされている。そして、各照明器具側に設定される制御アドレスを用いて、照明制御装置が各照明器具の照度や照明する光の色彩などを、調光卓を用いて遠隔制御する照明制御システムが導入されている。
【０００３】
このような照明制御システムでは、照明演出の変更が必要となる都度、複数のポートに接続される複数の照明器具の種類や配置などの対応関係を変更する作業が必要となる。そして、このようにポートと照明器具との対応関係を変更した後には、配置などが紙に記載された仕込み図と、実際の対応関係との整合性がとれていることを目視で確認する作業が行われる。さらに、かかる仕込み図を用いた対応関係の確認作業は、以前の照明演出で用いられたことのある対応関係に戻す場合にも行わなければならなかった。
【０００４】
このように、従来の技術においては、以前の照明演出で用いられたことのあるポートと照明器具との対応関係に戻す場合にも、かかる対応関係の確認作業を目視で行わなければならず、確認作業の負担が大きかった。
【先行技術文献】
【特許文献】
【０００５】
【特許文献１】特開２０１７−１０７７３６号公報
【発明の概要】
【発明が解決しようとする課題】
【０００６】
本発明が解決しようとする課題は、以前の照明演出で用いられたことのあるポートと照明器具との対応関係に戻す場合に、対応関係の確認作業における負担を軽減することができる照明制御装置、照明制御システムおよび照明制御方法を提供することである。
【課題を解決するための手段】
【０００７】
実施形態に係る照明制御装置は、検出部と、保存部と、読出部とを具備する。検出部は、複数のポートと複数の照明器具との対応関係を検出する。保存部は、検出された前記対応関係を対応関係データとして保存する。読出部は、保存された前記対応関係データを読み出す。
【発明の効果】
【０００８】
本発明によれば、以前の照明演出で用いられたことのあるポートと照明器具との対応関係に戻す場合に、かかる対応関係の確認作業における負担を軽減することができる。
【図面の簡単な説明】
【０００９】
【図１】図１は、実施形態に係る照明制御システムのシステム構成の一例を示す図である。
【図２】図２は、実施形態に係る照明制御装置の機能構成の一例を示すブロック図である。
【図３】図３は、対応関係データおよび接続機器管理テーブルに保存された情報の一例を示す図である。
【図４】図４は、調光管理テーブルに格納された情報の一例を示す図である。
【図５】図５は、実施形態に係る照明制御方法の一例を説明するための図（１）である。
【図６】図６は、実施形態に係る照明制御方法の一例を説明するための図（２）である。
【図７】図７は、実施形態に係る照明制御方法の一例を説明するための図（３）である。
【図８】図８は、実施形態に係る照明制御方法の別の一例を説明するための図である。
【図９】図９は、実施形態に係る照明制御処理の一例を示すフローチャートである。
【図１０】図１０は、実施形態に係る比較処理、出力処理および設定処理の一例を示すフローチャートである。
【発明を実施するための形態】
【００１０】
以下、図面を参照して、実施形態に係る照明制御装置、照明制御システムおよび照明制御方法を説明する。実施形態において同一の機能を有する構成には同一の符号を付し、重複する説明は省略する。なお、以下の実施形態で説明する照明制御装置、照明制御システムおよび照明制御方法は、一例を示すに過ぎず、実施形態を限定するものではない。例えば、以下の実施形態では、照明制御装置は、照明機器以外にも、任意の舞台装置の制御にも適用することができる。
【００１１】
以下で説明する実施形態に係る照明制御装置１０は、検出部１５ａと、保存部１５ｂと、読出部１５ｃとを具備する。検出部１５ａは、複数のポート２２（２２−１〜２２−ｍ）と複数の照明器具３０（３０−１〜３０−ｎ）との対応関係を検出する。保存部１５ｂは、検出された対応関係を対応関係データ１２ａとして保存する。読出部１５ｃは、保存された対応関係データ１２ａを読み出す。
【００１２】
また、以下で説明する実施形態に係る照明制御装置１０は、比較部１５ｄと、出力部１５ｅとをさらに具備する。比較部１５ｄは、複数のポート２２（２２−１〜２２−ｍ）と複数の照明器具３０（３０−１〜３０−ｎ）とが新たに対応付けられた場合に、検出部１５ａにより検出された今回の対応関係と読み出された前回の対応関係とを比較する。出力部１５ｅは、比較部１５ｄで比較された結果を出力する。
【００１３】
また、以下で説明する実施形態に係る照明制御装置１０において、出力部１５ｅは、今回の対応関係と前回の対応関係とで接続される照明器具３０（３０−１〜３０−ｎ）が異なるポート２２（２２−１〜２２−ｍ）に関する情報を出力する。
【００１４】
また、以下で説明する実施形態に係る照明制御装置１０において、比較部１５ｄは、今回の対応関係と前回の対応関係とを比較する場合に、照明器具３０（３０−１〜３０−ｎ）の製造会社名データおよび機器型番データに基づいて同じ器具とみなす照明器具３０（３０−１〜３０−ｎ）がポート２２（２２−１〜２２−ｍ）に接続されていると判定する。
【００１５】
また、以下で説明する実施形態に係る照明制御装置１０において、対応関係データ１２ａは、照明器具３０（３０−１〜３０−ｎ）の調光を制御する調光制御データに対応付けられたアドレス情報（ＤＭＸアドレス）を含む。そして、照明制御装置１０は、前回と同じポート２２（２２−１〜２２−ｍ）に同じまたは同じ器具とみなされた照明器具３０（３０−１〜３０−ｎ）が今回接続された場合に、対応関係データ１２ａに含まれる前回の照明器具３０（３０−１〜３０−ｎ）のアドレス情報（ＤＭＸアドレス）と同じアドレス情報（ＤＭＸアドレス）を今回の照明器具３０（３０−１〜３０−ｎ）に設定する設定部１５ｆをさらに具備する。
【００１６】
また、以下で説明する実施形態に係る照明制御装置１０は、付与部１５ｇと、表示制御部１５ｈとをさらに具備する。付与部１５ｇは、あらかじめ複数の照明器具３０（３０−１〜３０−ｎ）に対してそれぞれ異なるＩＤ番号を付与する。表示制御部１５ｈは、複数の照明器具３０（３０−１〜３０−ｎ）が同じポート２２（２２−１〜２２−ｍ）にカスケード接続される場合に、ポート２２（２２−１〜２２−ｍ）の表示位置から複数の照明器具３０（３０−１〜３０−ｎ）をＩＤ番号が若い番号順に表示する。
【００１７】
また、以下で説明する実施形態に係る照明制御システム１は、上記に記載の照明制御装置１０と、複数の照明器具３０（３０−１〜３０−ｎ）とを具備する。
【００１８】
また、以下で説明する実施形態に係る照明制御方法は、検出ステップ（ステップＳ１、Ｓ１０１）と、保存ステップ（ステップＳ２、Ｓ１０２）と、読出ステップ（ステップＳ３、Ｓ１０３）とを含む。検出ステップ（ステップＳ１、Ｓ１０１）は、複数のポート２２（２２−１〜２２−ｍ）と複数の照明器具３０（３０−１〜３０−ｎ）との対応関係を検出する。保存ステップ（ステップＳ２、Ｓ１０２）は、検出された対応関係を対応関係データ１２ａとして保存する。読出ステップ（ステップＳ３、Ｓ１０３）は、保存された対応関係データ１２ａを読み出す。
【００１９】
［照明制御システムの構成例］
最初に、図１を用いて、実施形態に係る照明制御システム１の構成の一例を説明する。図１は、実施形態に係る照明制御システム１のシステム構成の一例を示す図である。
【００２０】
例えば、図１に示す例では、照明制御システム１は、照明制御装置１０と、複数のＤＭＸノード２０−１〜２０−ｐと、複数の照明器具３０−１〜３０−ｎとを有する。なお、照明制御システム１は、任意の数のＤＭＸノード２０−１〜２０−ｐと、任意の数の照明器具３０−１〜３０−ｎを有してよい。
【００２１】
また、以下の説明では、ＤＭＸノード２０−１〜２０−ｐをＤＭＸノード２０と総称し、照明器具３０−１〜３０−ｎを照明器具３０と総称する場合がある。
【００２２】
図１に示す照明制御システム１において、照明制御装置１０とＤＭＸノード２０とは、例えばイーサネット（登録商標）やＬＡＮ（Local  Area  Network）などの所定のネットワークにより通信可能に接続される。また、ＤＭＸノード２０と照明器具３０とは、ＤＭＸ５１２を拡張したＲＤＭといった双方向通信が可能な規格により接続されている。
【００２３】
照明制御装置１０は、オペレータからの操作に従って、各照明器具３０を制御する制御装置であり、例えば、操作卓と呼ばれる装置である。例えば、照明制御装置１０は、複数のフェーダを有し、フェーダの操作に従って、対応する照明器具３０の照度や色彩を制御する制御情報をＤＭＸノード２０へ送信する。
【００２４】
ＤＭＸノード２０は、照明制御装置１０と照明器具３０との間の通信を中継する中継装置である。例えば、ＤＭＸノード２０は、通信制御部２１と、複数のポート２２−１〜２２−ｍを有する。なお、以下の説明では、ポート２２−１〜２２−ｍをポート２２と総称する場合がある。
【００２５】
通信制御部２１は、照明制御装置１０との間で情報の送受信を行う通信装置であり、例えば、ＮＩＣ（Network  Interface  Card）などの通信装置によって実現される。また、複数のポート２２−１〜２２−ｍは、それぞれを識別するためのポート番号が付与されたポートであり、例えば、ＲＤＭ規格に従って照明器具３０と信号を送受信するためのコネクタである。
【００２６】
通信制御部２１は、照明制御装置１０から制御情報を受信すると、受信した制御情報をＲＤＭ規格に沿った制御信号に変換し、受信した制御情報が示すユニバースの全てのポートから制御信号を出力する。
【００２７】
すなわち、ＤＭＸノード２０は、各ポート２２と、各ポート２２に接続された照明器具３０に付与された制御アドレスのユニバースとを対応付けて記憶しており、受信した制御信号のユニバースと対応するポート２２に制御信号を伝達する。なお、実施形態では、照明器具３０が接続されていないポート２２があってもよい（たとえば、図１に示すポート２２−２など）。
【００２８】
照明器具３０は、例えばＬＥＤ（Light  Emitting  Diodes）などの半導体発光素子を光源とする照明装置であり、例えば、スポットライト、ホリゾントライト、フラッドライトなどといった照明装置である。なお、照明器具３０は、図示しないバトンなどにより所定の位置に吊り下げられたり、所定の位置に置かれたりして用いられる。
【００２９】
また、照明器具３０は、照明制御装置１０からの制御に従って、照明する光の照度、色彩、照明範囲などを変化させる調光処理を行うことで、スタジオや舞台などの照明演出を行う。例えば、照明器具３０には、ＤＭＸアドレスといった制御アドレスが予め付与される。
【００３０】
さらに、照明器具３０は、ＤＭＸノード２０からＤＭＸ規格に沿った制御信号を受信すると、受信した制御信号が示す制御アドレスが自装置の制御アドレスであるか否かを判定し、自装置の制御アドレスである場合は、受信した制御信号に従って、調光処理を実行する。
【００３１】
ここで、照明制御装置１０と照明器具３０とは、ＲＤＭ規格に沿った通信を介することで、双方向通信を実現することができる。例えば、照明器具３０は、照明器具３０に関する各種の情報（以下、「詳細情報」と記載する。）が登録された図示しないメモリを有する。
【００３２】
より具体的には、照明器具３０は、照明器具３０の識別子であるＵＩＤや、どのような色彩情報に従って照明の色彩を変更するか、使用する制御アドレスの数、出力、製造会社名や機器の型番、重量などといった照明器具３０の詳細を示す詳細情報が登録されている。なお、かかる詳細情報には、照明器具３０の制御において独自に使用される特殊コードや、点灯時間、通電時間、パーソナリティー設定などといった情報が含まれる場合がある。
【００３３】
［照明制御装置の構成例］
続いて、図２を用いて、実施形態に係る照明制御装置１０の機能構成の一例を説明する。図２は、実施形態に係る照明制御装置１０の機能構成の一例を示すブロック図である。図２に示す例では、照明制御装置１０は、通信部１１と、記憶部１２と、表示部１３と、複数の操作部１４ａ〜１４ｃ（以下、「操作部１４」と総称する。）と、制御部１５とを有する。
【００３４】
通信部１１は、例えば、所定の通信回路などによって実現される。例えば、通信部１１は、イーサネットやＬＡＮなどのネットワークを介して、ＤＭＸノード２０との間の通信を中継する。
【００３５】
記憶部１２は、例えば、ＲＡＭ（Random  Access  Memory）、フラッシュメモリ（Flash  Memory）などの半導体メモリ素子、または、ハードディスク、光ディスクなどの記憶装置によって実現される。実施形態に係る記憶部１２は、図２に示すように、対応関係データ１２ａと、調光管理テーブル１２ｂと、接続機器管理テーブル１２ｃとを有する。
【００３６】
対応関係データ１２ａには、たとえば、以前に複数のポート２２−１〜２２−ｍに複数の照明器具３０−１〜３０−ｎを所定の対応関係で設置した状態（以下、前回の対応関係とも呼称する。）におけるポート２２−１〜２２−ｍと照明器具３０−１〜３０−ｎとの対応関係が保存される。図３は、対応関係データ１２ａおよび接続機器管理テーブル１２ｃに保存された情報の一例を示す図である。
【００３７】
図３に示すように、対応関係データ１２ａは、「ＩＤ番号」、「ポート番号」、「製造会社名」、「機器型番」、「ＵＩＤ」および「ＤＭＸアドレス」といった項目を有する情報を含む。
【００３８】
ここで、「ＩＤ番号」とは、各スタジオや各舞台ごとに用いられる照明器具３０−１〜３０−ｎに対して個別に割り振られる固有の番号であり、たとえば、１以上の整数で表される情報である。なお、かかる「ＩＤ番号」は、後述する制御部１５の付与部１５ｇにより各照明器具３０に付与され、各照明器具３０の本体にも明示されている。
【００３９】
「ポート番号」とは、照明器具３０−１〜３０−ｎが接続されているポート２２−１〜２２−ｍに対して個別に割り振られる固有の番号である。すなわち、実施形態において、複数のポート２２−１〜２２−ｍには、それぞれ個別のポート番号が割り振られている。
【００４０】
「製造会社名」とは、照明器具３０の製造会社名であり、「機器型番」とは、製造会社によって定められた照明器具３０の型番である。
【００４１】
「ＵＩＤ」とは、ＤＭＸ規格で用いられる装置ごとに固有の番号であり、各照明器具３０−１〜３０−ｎに予め付与される１２桁の１６進数で表される情報である。なお、実施形態において、かかる「ＵＩＤ」と上述の「ＩＤ番号」とは１対１で対応付けられている。
【００４２】
「ＤＭＸアドレス」とは、ＤＭＸのデータリンク上におけるアドレス、すなわち、照明制御装置１０が照明器具３０−１〜３０−ｎを制御する際に用いる制御アドレスである。なお、ＤＭＸアドレスは、照度、照明の色彩、照明を移動させるムービングなど、照明制御装置１０が制御する照明器具３０−１〜３０−ｎの制御対象ごとに記憶される。
【００４３】
たとえば、図３で示す例において、対応関係データ１２ａには、ＩＤ番号「１」が割り振られた照明器具３０に対して、ポート番号「Ｐ１」、製造会社名「Ａ社」、機器型番「機器Ｃ」、ＵＩＤ「ＵＩＤ１」およびＤＭＸアドレス「アドレス２」が対応付けられて保存されている。また、対応関係データ１２ａには、ＩＤ番号「２」が割り振られた照明器具３０に対して、ポート番号「Ｐ２」、製造会社名「Ａ社」、機器型番「機器Ｃ」、ＵＩＤ「ＵＩＤ３」およびＤＭＸアドレス「アドレス１」が対応付けられて保存されている。
【００４４】
図２の説明に戻る。記憶部１２の調光管理テーブル１２ｂには、上述のＤＭＸアドレスと、調光制御データとが対応付けられて記憶されている。ここで、「調光制御データ」とは、照明器具３０−１〜３０−ｎごとの照度や色彩、照明を移動させるムービングなどの調光を制御するデータ（たとえば、パッチデータやシーンデータなど）の総称である。
【００４５】
図４は、調光管理テーブル１２ｂに格納された情報の一例を示す図である。たとえば、図４に示す例において、調光管理テーブル１２ｂには、ＤＭＸアドレス「アドレス１」と調光制御データ「データＡ」とが対応付けられて記憶されている。また、調光管理テーブル１２ｂには、ＤＭＸアドレス「アドレス２」と調光制御データ「データＡ」とが対応付けられて記憶されている。
【００４６】
すなわち、図４に示す例において、ＤＭＸアドレスが「アドレス１」に設定された照明器具３０と、ＤＭＸアドレスが「アドレス２」に設定された照明器具３０とは、いずれも同じ調光制御データ「データＡ」で調光が制御される。
【００４７】
図２の説明に戻る。記憶部１２の接続機器管理テーブル１２ｃには、複数のポート２２と複数の照明器具３０とが新たに対応付けられた場合におけるポート２２−１〜２２−ｍと照明器具３０−１〜３０−ｎとの対応関係（以下、今回の対応関係とも呼称する。）が記憶される。
【００４８】
たとえば、接続機器管理テーブル１２ｃには、前回の対応関係と同一または類似の対応関係に戻す作業中のポート２２−１〜２２−ｍと照明器具３０−１〜３０−ｎとの対応関係が記憶される。なお、かかる接続機器管理テーブル１２ｃは、図３に示した対応関係データ１２ａと同様のデータ構造であることから、詳細な説明は省略する。
【００４９】
表示部１３は、任意の情報を表示可能な表示装置であり、例えば、液晶モニタやタッチパネルなどにより実現される。なお、表示部１３が表示する画面としては、対応関係データ１２ａとして保存された各照明器具３０の設置位置や、接続機器管理テーブル１２ｃとして記憶された各照明器具３０の設置位置の情報などが採用される。
【００５０】
操作部１４は、操作者からの操作を受付ける入力装置であり、例えば、フェーダやボタンなどといった入力装置により実現される。なお、操作部１４は、サブマスタフェーダ、シーンボタン、エフェクトボタンなど、１つ以上の照明器具３０に対する所定の操作を行うための入力装置であってもよい。
【００５１】
なお、例えば、表示部１３が操作者からの操作を受け付けることができるタッチパネルにより実現される場合は、表示部１３と操作部１４とは、一体の装置として実現されていてもよい。このような場合、操作部１４は、画面上に表示される仮想的な入力装置により実現されうる。
【００５２】
制御部１５は、各種の処理手順などを規定したプログラム及び所要データを格納するための内部メモリを有し、これらによって種々の処理を実行する。実施形態において、制御部１５は、検出部１５ａと、保存部１５ｂと、読出部１５ｃと、比較部１５ｄと、出力部１５ｅと、設定部１５ｆと、付与部１５ｇと、表示制御部１５ｈとを有する。
【００５３】
検出部１５ａは、複数のポート２２と複数の照明器具３０との対応関係を検出する。たとえば、検出部１５ａは、ポート２２と照明器具３０との対応関係が上述の前回の対応関係である場合に、かかる前回の対応関係を検出する。
【００５４】
また、検出部１５ａは、ポート２２と照明器具３０との対応関係が上述の今回の対応関係である場合に、かかる今回の対応関係を検出し、検出された今回の対応関係を接続機器管理テーブル１２ｃとして記憶部１２に記憶する。
【００５５】
保存部１５ｂは、検出部１５ａにより検出された前回の対応関係を対応関係データ１２ａとして保存する。
【００５６】
読出部１５ｃは、保存部１５ｂにより保存された対応関係データ１２ａを読み出す。たとえば、読出部１５ｃは、複数のポート２２と複数の照明器具３０とが新たに対応付けられた場合に、保存部１５ｂにより保存された対応関係データ１２ａを読み出す。
【００５７】
比較部１５ｄは、複数のポート２２と複数の照明器具３０とが新たに対応付けられた場合に、検出部１５ａにより検出され、接続機器管理テーブル１２ｃとして記憶された今回の対応関係と、対応関係データ１２ａとして読み出された前回の対応関係とを比較する。
【００５８】
出力部１５ｅは、比較部１５ｄで比較された結果を表示部１３に出力する。たとえば、出力部１５ｅは、検出部１５ａにより検出されて記憶された接続機器管理テーブル１２ｃ（すなわち、今回の対応関係）と、読み出された対応関係データ１２ａ（すなわち、前回の対応関係）とで接続される照明器具３０が異なるポート２２に関する情報を出力する。
【００５９】
設定部１５ｆは、前回と同じポート２２に同じまたは同じ器具とみなされた照明器具３０が今回接続された場合に、対応関係データ１２ａに含まれる前回の照明器具３０のＤＭＸアドレスと同じＤＭＸアドレスを今回の照明器具３０に設定する。
【００６０】
付与部１５ｇは、あらかじめ複数の照明器具３０に対してそれぞれ異なるＩＤ番号を付与する。表示制御部１５ｈは、複数の照明器具３０が同じポート２２にカスケード接続される場合に、ポート２２の表示位置から複数の照明器具３０をＩＤ番号が若い番号順に表示する。
【００６１】
［照明制御方法の詳細］
続いて、図５〜図７を用いて、実施形態に係る照明制御方法の詳細について説明する。図５〜図７は、実施形態に係る照明制御方法の一例を説明するための図（１）〜（３）である。図５に示すレイアウト画面５０は、「バトン」、「フロア」、「ホリ」とそれぞれ示された回路選択タブ５１から「バトン」が選択された例を示している。
【００６２】
照明制御装置１０の記憶部１２には、予めスタジオや舞台などにおける各回路が実際の配置を模擬したレイアウトでそれぞれ記憶されており、オペレータによる回路選択タブ５１の選択に応じた回路レイアウトがレイアウト画面５０として表示される。なお、図５に示す例では、各ポート２２それぞれに対する照明器具３０の配置は図示されていない。
【００６３】
そして、実施形態では、ポート２２と照明器具３０との対応関係が前回の対応関係である場合に、図６に示すように、作業者により「ＲＤＭ器具検出」タブ５２が選択されると、検出部１５ａは、ポート２２と照明器具３０との対応関係を検出する（ステップＳ１）。また、照明制御装置１０は、検出された結果に基づいて、照明器具３０が各バトンに対応するように配置されたレイアウト画面５０を表示部１３に表示する。
【００６４】
次に、保存部１５ｂは、検出部１５ａで検出された対応関係を対応関係データ１２ａとして保存する（ステップＳ２）。たとえば、作業者により所定の動作（たとえば、図示しない「保存」タブが選択されるなど）が行われることにより、保存部１５ｂは、検出された対応関係を対応関係データ１２ａとして保存することができる。
【００６５】
次に、図７に示すように、前回の対応関係と同一または類似の対応関係に戻す作業中で、複数のポート２２と複数の照明器具３０とが新たに対応付けられた場合に、読出部１５ｃは、対応関係データ１２ａを読み出す（ステップＳ３）。
【００６６】
たとえば、読出部１５ｃは、作業者により所定の動作（たとえば、図示しない「読出」タブが選択されるなど）が行われることにより対応関係データ１２ａを読み出し、前回の対応関係で配置されたレイアウト画面５０を表示部１３に表示することができる。
【００６７】
次に、作業者により「ＲＤＭ器具検出」タブ５２が選択されると、検出部１５ａは、今回の対応関係を検出する（ステップＳ４）。そして、比較部１５ｄは、検出された今回の対応関係と、読み出された前回の対応関係とを比較する（ステップＳ５）。
【００６８】
たとえば、比較部１５ｄは、検出部１５ａにより検出されて記憶された接続機器管理テーブル１２ｃと、読み出された対応関係データ１２ａとに基づいて、今回の対応関係と前回の対応関係とを比較することができる。
【００６９】
次に、出力部１５ｅは、比較部１５ｄにより比較された結果をレイアウト画面５０に出力する（ステップＳ６）。たとえば、実施形態では、前回の対応関係の際に照明器具３０が接続されていたポート２２に照明器具３０が接続されていない場合、出力部１５ｅは、かかる照明器具３０が接続されていないポート２２に対応する位置に「×」と出力する。
【００７０】
また、実施形態では、前回の対応関係の際に照明器具３０が接続されていないポート２２に照明器具３０が接続されている場合、出力部１５ｅは、かかる余計な照明器具３０が接続されているポート２２に対応する位置に「△」と出力する。
【００７１】
さらに、実施形態では、前回の対応関係の際に照明器具３０が接続されているポート２２に異なる機種の照明器具３０が接続されている場合、出力部１５ｅは、かかる異なる機種の照明器具３０が接続されているポート２２に対応する位置に「▽」と出力する。
【００７２】
ここまで説明したように、実施形態では、検出された前回の対応関係を対応関係データ１２ａとして保存し、かかる対応関係データ１２ａを今回の対応関係である場合に読み出すことにより、以前の照明演出で用いられたことのあるポート２２と照明器具３０との対応関係と同一または類似の対応関係に戻す場合に、読み出された前回の対応関係を表示部１３で参照しながら照明の仕込み作業を行うことができる。
【００７３】
したがって、実施形態によれば、以前の照明演出で用いられたことのあるポート２２と照明器具３０との対応関係と同一または類似の対応関係に戻す場合に、対応関係の確認作業における負担を軽減することができる。なお、読み出された前回の対応関係を参照する装置は表示部１３に限られず、携帯端末（たとえば、タブレット端末など）で参照してもよい。
【００７４】
また、実施形態では、検出された今回の対応関係と前回の対応関係とを比較して、比較された結果をレイアウト画面５０や携帯端末などに出力することにより、今回の対応関係が前回の対応関係と異なるポート２２の位置を作業者に明示することができる。
【００７５】
したがって、実施形態によれば、以前の照明演出で用いられたことのあるポート２２と照明器具３０との対応関係と同一または類似の対応関係に戻す場合に、対応関係の確認作業における負担をさらに軽減することができる。
【００７６】
また、実施形態では、比較部１５ｄが、今回の対応関係と前回の対応関係とを比較する場合に、照明器具３０の「製造会社名」データおよび「機器型番」データに基づいて、同じ器具とみなす照明器具３０がポート２２に接続されていると判定してもよい。
【００７７】
たとえば、比較部１５ｄは、今回の対応関係と前回の対応関係とを比較する場合に、同じポート２２に接続される照明器具３０の「製造会社名」データおよび「機器型番」データが同じである一方でＵＩＤが異なる場合にも、同じ照明器具３０が接続されていると判定するとよい。
【００７８】
すなわち、比較部１５ｄは、同じポート２２に接続される照明器具３０のＵＩＤが同じである場合には、「同一機種」の照明器具３０が接続されていると判定する。また、比較部１５ｄは、同じポート２２に接続される照明器具３０のＵＩＤが異なる一方で、製造会社名データおよび機器型番データが同じである場合には、同じ器具とみなされる「同一タイプ」の照明器具３０が接続されていると判定するとよい。
【００７９】
これにより、前回の対応関係と同一または類似の対応関係に戻す作業を行う際に、ＵＩＤまで同じ照明器具３０を対応するポート２２に接続する手間が省けることから、対応関係の確認作業における負担をさらに軽減することができる。
【００８０】
なお、比較部１５ｄは、同じポート２２に接続される照明器具３０の製造会社名や機器型番が同じでなくとも、仕様が類似する照明器具３０が接続されている場合には、同じ器具とみなす照明器具３０がポート２２に接続されていると判定してもよい。
【００８１】
また、実施形態では、ポート２２と照明器具３０とを前回の対応関係と同一または類似の対応関係に戻す作業が終了した際などに、設定部１５ｆは、対応関係データ１２ａに含まれる前回の照明器具３０のＤＭＸアドレスと同じＤＭＸアドレスを今回の照明器具３０に設定してもよい。これにより、前回と同じまたは同じ器具とみなされた照明器具３０の調光制御データを前回と同じ設定に戻すことができる。
【００８２】
したがって、以前の照明演出で用いられたことのあるポート２２と照明器具３０との対応関係と同一または類似の対応関係に戻す場合に、調光制御データを以前の状態に容易に戻すことができることから、前回の対応関係と同一または類似の対応関係に戻す作業の負担を軽減することができる。
【００８３】
図８は、実施形態に係る照明制御方法の別の一例を説明するための図である。ＤＭＸ規格に沿った照明制御システム１では、同じポート２２（たとえば、ポート番号「Ｐ１」のポート２２）に複数の照明器具３０（たとえば、ＩＤ番号「１」「１０１」「１０３」の照明器具３０）がカスケード接続される場合がある。
【００８４】
ここで、実施形態では、同じポート２２に複数の照明器具３０がカスケード接続される場合に、表示制御部１５ｈは、ポート２２の表示位置から複数の照明器具３０をＩＤ番号が若い番号順に表示するように表示を制御するとよい。
【００８５】
たとえば、図８に示すように、表示制御部１５ｈは、ＩＤ番号「１」「１０１」「１０３」の照明器具３０が同じポート２２にカスケード接続される場合に、ポート２２の表示位置からＩＤ番号「１」、ＩＤ番号「１０１」、ＩＤ番号「１０３」の順に表示するように表示を制御するとよい。
【００８６】
従来のＤＭＸ規格に沿った表示では、複数の照明器具３０をカスケード接続する場合に、表示される順番は一定ではなく、接続を検出した順番に各照明器具３０の表示を行っていた。したがって、複数の照明器具３０をカスケード接続する場合には、レイアウト画面５０で表示された順番と実際の接続の順番との対応がとれず、別途作業者は表示位置を調整する作業を行う必要があった。
【００８７】
しかしながら、実施形態では、ＩＤ番号が若い番号順に照明器具３０を表示するとともに、実際の仕込み作業でも照明器具３０に明示されたＩＤ番号が若い番号順にカスケード接続を行うことにより、レイアウト画面５０で表示された順番と実際の接続の順番との対応を容易に取ることができる。したがって、実施形態によれば、照明器具３０の仕込み作業における負担を軽減することができる。
【００８８】
なお、実際の仕込み作業において複数の照明器具３０をカスケード接続する場合には、特定の機器型番である照明器具３０がポート２２に近い位置に配置され、別の特定の機器型番である照明器具３０がポート２２から遠い位置に配置されることが一般的に行われる。
【００８９】
そこで、実施形態では、付与部１５ｇが、図３に示したように、照明器具３０にそれぞれ異なるＩＤ番号を付与する場合に、特定の機器型番（たとえば、「機器Ｃ」）である照明器具３０に対しては若い番号（たとえば、ＩＤ番号が１〜１００）のＩＤ番号を付与する。そして、付与部１５ｇは、別の特定の機器型番（たとえば、「機器Ｄ」）である照明器具３０に対してはより大きい番号（たとえば、ＩＤ番号が１０１〜２００）のＩＤ番号を付与するようにするとよい。
【００９０】
［照明制御処理のフロー］
次に、図９を用いて、照明制御装置１０が各照明器具３０を制御する処理の一例を説明する。図９は、実施形態に係る照明制御処理の一例を示すフローチャートである。
【００９１】
最初に、照明器具３０の対応関係が上述の前回の対応関係である場合に、検出部１５ａは、ポート２２と照明器具３０との対応関係を検出する（ステップＳ１０１）。そして、保存部１５ｂは、検出部１５ａで検出された対応関係を対応関係データ１２ａとして保存する（ステップＳ１０２）。
【００９２】
次に、複数のポート２２と複数の照明器具３０とが新たに対応付けられた場合に、読出部１５ｃは、対応関係データ１２ａを読み出す（ステップＳ１０３）。次に、検出部１５ａは、ポート２２と照明器具３０との今回の対応関係を検出する（ステップＳ１０４）。
【００９３】
次に、比較部１５ｄは、検出された今回の対応関係と、読み出された前回の対応関係とを比較する（ステップＳ１０５）。そして、出力部１５ｅは、比較部１５ｄにより比較された結果をレイアウト画面５０などに出力する（ステップＳ１０６）。
【００９４】
次に、制御部１５は、前回の対応関係と同一または類似の対応関係に戻す仕込み作業が完了したか否かを判定する（ステップＳ１０７）。たとえば、制御部１５は、作業者により所定の動作（たとえば、図示しない「作業完了」タブが選択されるなど）が行われることにより、仕込み作業が完了したと判定することができる。
【００９５】
そして、仕込み作業が完了した場合（ステップＳ１０７，Ｙｅｓ）、処理を完了する。一方で、仕込み作業が完了していない場合（ステップＳ１０７，Ｎｏ）、ステップＳ１０４の処理に戻る。
【００９６】
図１０は、実施形態に係る比較処理、出力処理および設定処理の一例を示すフローチャートである。最初に、制御部１５は、全ポート２２の接続が完了したか否かを判定する（ステップＳ２０１）。そして、全ポート２２の接続が完了した場合（ステップＳ２０１，Ｙｅｓ）、処理を完了する。
【００９７】
一方で、全ポート２２の接続が完了していない場合（ステップＳ２０１，Ｎｏ）、比較部１５ｄは、接続が完了していないポート２２において、前回の対応関係で照明器具３０が未接続であり、かつ今回の対応関係で照明器具３０が未接続であるか否かを判定する（ステップＳ２０２）。
【００９８】
そして、前回照明器具３０が未接続でありかつ今回照明器具３０が未接続の場合（ステップＳ２０２，Ｙｅｓ）、制御部１５は、次のポート２２の接続を確認し（ステップＳ２０３）、ステップＳ２０１の処理に戻る。
【００９９】
一方で、前回照明器具３０が未接続でありかつ今回照明器具３０が未接続ではない場合（ステップＳ２０２，Ｎｏ）、比較部１５ｄは、接続が完了していないポート２２において、前回照明器具３０が接続されており、かつ今回照明器具３０が未接続であるか否かを判定する（ステップＳ２０４）。
【０１００】
そして、前回照明器具３０が接続されておりかつ今回照明器具３０が未接続の場合（ステップＳ２０４，Ｙｅｓ）、出力部１５ｅは、接続が完了していないポート２２で必要な照明器具３０が未接続であると表示し（ステップＳ２０５）、ステップＳ２０３の処理に戻る。
【０１０１】
一方で、前回照明器具３０が接続されておりかつ今回照明器具３０が未接続ではない場合（ステップＳ２０４，Ｎｏ）、比較部１５ｄは、接続が完了していないポート２２において、前回照明器具３０が未接続であり、かつ今回照明器具３０が接続されているか否かを判定する（ステップＳ２０６）。
【０１０２】
そして、前回照明器具３０が未接続でありかつ今回照明器具３０が接続されている場合（ステップＳ２０６，Ｙｅｓ）、出力部１５ｅは、接続が完了していないポート２２で不必要な照明器具３０が接続されていると表示し（ステップＳ２０７）、ステップＳ２０３の処理に戻る。
【０１０３】
一方で、前回照明器具３０が未接続でありかつ今回照明器具３０が接続ではない場合（ステップＳ２０６，Ｎｏ）、比較部１５ｄは、接続が完了していないポート２２において、前回の照明器具３０と今回の照明器具３０とが同一機種か否かを判定する（ステップＳ２０８）。
【０１０４】
たとえば、比較部１５ｄは、同じポート２２に接続される照明器具３０のＵＩＤが同じである場合には、前回の照明器具３０と今回の照明器具３０とが同一機種であると判定することができる。
【０１０５】
そして、前回の照明器具３０と今回の照明器具３０とが同一機種である場合（ステップＳ２０８，Ｙｅｓ）、設定部１５ｆは、対応関係データ１２ａに基づいて、接続が完了した照明器具３０のＤＭＸアドレスを設定し（ステップＳ２０９）、ステップＳ２０３の処理に戻る。
【０１０６】
一方で、前回の照明器具３０と今回の照明器具３０とが同一機種ではない場合（ステップＳ２０８，Ｎｏ）、比較部１５ｄは、接続が完了していないポート２２において、前回の照明器具３０と今回の照明器具３０とが同一タイプである（すなわち、仕様が類似する）か否かを判定する（ステップＳ２１０）。
【０１０７】
たとえば、比較部１５ｄは、同じポート２２に接続される照明器具３０のＵＩＤが異なる一方で、製造会社名データおよび機器型番データが同じである場合には、前回の照明器具３０と今回の照明器具３０とが同一タイプであると判定することができる。
【０１０８】
そして、前回の照明器具３０と今回の照明器具３０とが同一タイプではない場合（ステップＳ２１０，Ｎｏ）、出力部１５ｅは、接続が完了していないポート２２で異なる照明器具３０が接続されていると表示し（ステップＳ２１１）、ステップＳ２０３の処理に戻る。
【０１０９】
一方で、前回の照明器具３０と今回の照明器具３０とが同一タイプである場合（ステップＳ２１０，Ｙｅｓ）、比較部１５ｄは、前回の照明器具３０と今回の照明器具３０とで制御チャンネルが同じか否かを判定する（ステップＳ２１２）。
【０１１０】
そして、前回の照明器具３０と今回の照明器具３０とで制御チャンネルが同じである場合（ステップＳ２１２，Ｙｅｓ）、設定部１５ｆは、対応関係データ１２ａに基づいて、接続が完了した照明器具３０のＤＭＸアドレスを設定し（ステップＳ２１３）、ステップＳ２０３の処理に戻る。
【０１１１】
一方で、前回の照明器具３０と今回の照明器具３０とで制御チャンネルが同じではない場合（ステップＳ２１２，Ｎｏ）、比較部１５ｄは、前回の照明器具３０と今回の照明器具３０とで制御チャンネルを同じモードに設定可能か否かを判定する（ステップＳ２１４）。
【０１１２】
そして、前回の照明器具３０と今回の照明器具３０とで制御チャンネルを同じモードに設定可能である場合（ステップＳ２１４，Ｙｅｓ）、設定部１５ｆは、対応関係データ１２ａに基づいて、接続が完了した照明器具３０の動作モードを変更し（ステップＳ２１５）、かかる照明器具３０のＤＭＸアドレスを設定して（ステップＳ２１６）、ステップＳ２０３の処理に戻る。
【０１１３】
一方で、前回の照明器具３０と今回の照明器具３０とで制御チャンネルが同じモードに設定可能ではない場合（ステップＳ２１４，Ｎｏ）、出力部１５ｅは、接続が完了していないポート２２で異なる照明器具３０が接続されていると表示し（ステップＳ２１７）、ステップＳ２０３の処理に戻る。
【０１１４】
［実施形態の効果］
上述してきたように、実施形態に係る照明制御装置１０は、検出部１５ａと、保存部１５ｂと、読出部１５ｃとを具備する。検出部１５ａは、複数のポート２２（２２−１〜２２−ｍ）と複数の照明器具３０（３０−１〜３０−ｎ）との対応関係を検出する。保存部１５ｂは、検出された対応関係を対応関係データ１２ａとして保存する。読出部１５ｃは、保存された対応関係データ１２ａを読み出す。このため、実施形態に係る照明制御装置１０によれば、以前の照明演出で用いられたことのあるポート２２と照明器具３０との対応関係に戻す場合に、対応関係の確認作業における負担を軽減することができる。
【０１１５】
本発明の実施形態を説明したが、この実施形態は、例として提示したものであり、発明の範囲を限定することは意図していない。この実施形態は、その他の様々な形態で実施されることが可能であり、発明の要旨を逸脱しない範囲で、種々の省略、置き換え、変更を行うことができる。この実施形態やその変形は、発明の範囲や要旨に含まれると同様に、特許請求の範囲に記載された発明とその均等の範囲に含まれるものである。
【符号の説明】
【０１１６】
１    照明制御システム
１０    照明制御装置
１１    通信部
１２    記憶部
１２ａ  対応関係データ
１２ｂ  調光管理テーブル
１２ｃ  接続機器管理テーブル
１３    表示部
１４    操作部
１５    制御部
１５ａ  検出部
１５ｂ  保存部
１５ｃ  読出部
１５ｄ  比較部
１５ｅ  出力部
１５ｆ  設定部
１５ｇ  付与部
１５ｈ  表示制御部
２０、２０−１〜２０−ｐ  ＤＭＸノード
２１    通信制御部
２２、２２−１〜２２−ｍ  ポート
３０、３０−１〜３０−ｎ  照明器具
５０    レイアウト画面
５１    回路選択タブ
５２    ＲＤＸ器具検出タブ
【図１】
2019175582.tif 000003
【図２】
2019175582.tif 000004
【図３】
2019175582.tif 000005
【図４】
2019175582.tif 000006
【図５】
2019175582.tif 000007
【図６】
2019175582.tif 000008
【図７】
2019175582.tif 000009
【図８】
2019175582.tif 000010
【図９】
2019175582.tif 000011
【図１０】
2019175582.tif 000012